(57)【要約】【課題】複数の視聴者がテレビ装置の視聴可能範囲に存在している場合に、視聴者毎にその不在時間の要約コンテンツを自動的に生成し、その要約コンテンツを当該視聴者のみに閲覧させることができるシステム及び方法を提供する。【解決手段】起動状態検出装置が、携帯電話機におけるBluetoothの確立状態によって、テレビ装置の視聴可能範囲に存在する１つ以上の携帯電話機を検出する。次に、起動状態検出装置は、携帯電話機毎に、テレビ装置の視聴可能範囲における「存在」／「不在」を示す起動状態情報を、要約コンテンツ生成装置へ送信する。要約コンテンツ生成装置は、起動状態情報「不在」を受信した際に、テレビ装置によって再生されているコンテンツの要約コンテンツの生成を開始し、起動状態情報「存在」を受信した際に、要約コンテンツの生成を終了する。生成された要約コンテンツは、携帯電話機へ送信される。【選択図】図３
2011061733.tif 000002
【特許請求の範囲】
【請求項１】
操作信号を第１の無線リンクを介して送信する遠隔操作装置と、前記操作信号を第１の無線リンクを介して受信し且つその内容に応じて動作する操作対象装置とを有し、前記操作対象装置によって再生されたコンテンツにおける要約コンテンツを生成するシステムであって、
前記遠隔操作装置は、第２の無線リンクを確立する第２の無線通信手段を有し、
前記システムは、起動状態検出装置と、要約コンテンツ生成装置とを更に有し、
前記起動状態検出装置は、
前記遠隔操作装置における第２の無線リンクの確立状態によって、前記操作対象装置の視聴可能範囲に存在する１つ以上の前記遠隔操作装置を検出する起動状態検出手段と、
前記遠隔操作装置毎に、前記操作対象装置の視聴可能範囲における「存在」／「不在」を示す起動状態情報を、前記要約コンテンツ生成装置へ送信する起動状態送信手段と
を有し、
前記要約コンテンツ生成装置は、
前記操作対象装置によって再生されているコンテンツの要約コンテンツを生成する要約コンテンツ生成手段と、
前記遠隔操作装置に対して、前記起動状態情報「不在」を受信した際に、前記要約コンテンツ生成手段に対して前記要約コンテンツの生成開始を指示し、その後、前記起動状態情報「存在」を受信した際に、前記要約コンテンツ生成手段に対して前記要約コンテンツの生成終了を指示する生成制御手段と、
前記要約コンテンツ生成手段によって生成された前記要約コンテンツを、前記遠隔操作装置へ送信する要約コンテンツ送信手段と
を有することを特徴とするシステム。
【請求項２】
前記操作対象装置によって再生されるデジタル放送コンテンツは、映像及び字幕文字列を含んでおり、
前記要約コンテンツ生成装置の前記要約コンテンツ生成手段は、
前記デジタル放送コンテンツから、前記字幕文字列の単位を抽出する字幕文字列抽出手段と、
前記デジタル放送コンテンツから、前記字幕文字列の単位毎に、前記映像を抽出する映像抽出手段と、
前記字幕文字列の単位に基づく前記映像の中から、１つの静止画像を抽出する画像抽出手段と、
前記静止画像及び前記字幕文字列を連結した前記要約コンテンツを生成するコンテンツ連結手段と
を有することを特徴とする請求項１に記載のシステム。
【請求項３】
第１の無線リンクは、指向性のある赤外線通信リンクであり、
第２の無線リンクは、指向性のない近距離無線リンクである
ことを特徴とする請求項１又は２に記載のシステム。
【請求項４】
前記近距離無線リンクは、Bluetoothであり、
前記遠隔操作装置は、呼び出し(Page)シーケンスを定期的に実行することによって、当該識別子を送信することを特徴とする請求項３に記載のシステム。
【請求項５】
前記近距離無線リンクは、無線ＬＡＮ(Local Area Network)であり、
前記遠隔操作装置は、当該識別子を含むデータパケットを定期的に送信することを特徴とする請求項３に記載のシステム。
【請求項６】
前記操作対象装置は、テレビ装置であり、
前記遠隔操作装置は、携帯電話機であり、当該携帯電話機に搭載された赤外線発光部及び近距離無線通信部を用いる
ことを特徴とする請求項１から５のいずれか１項に記載のシステム。
【請求項７】
前記操作対象装置は、前記起動状態検出装置及び／又は前記要約コンテンツ生成装置を一体的に含むことを特徴とする請求項１から６のいずれか１項に記載のシステム。
【請求項８】
操作信号を第１の無線リンクを介して送信する遠隔操作装置と、前記操作信号を第１の無線リンクを介して受信し且つその内容に応じて動作する操作対象装置とを有するシステムについて、前記操作対象装置によって再生されたコンテンツにおける要約コンテンツを生成する方法であって、
前記遠隔操作装置は、第２の無線リンクの通信機能を有し、
前記システムは、起動状態検出装置と、要約コンテンツ生成装置とを更に有し、
前記起動状態検出装置が、前記遠隔操作装置における第２の無線リンクの確立状態によって、前記操作対象装置の視聴可能範囲に存在する１つ以上の前記遠隔操作装置を検出する第１のステップと、
前記遠隔操作装置毎に、前記操作対象装置の視聴可能範囲における「存在」／「不在」を示す起動状態情報を、前記要約コンテンツ生成装置へ送信する第２のステップと、
前記要約コンテンツ生成装置が、前記遠隔操作装置に対して、前記起動状態情報「不在」を受信した際に、前記操作対象装置によって再生されているコンテンツの要約コンテンツの生成を開始する第３のステップと、
前記要約コンテンツ生成装置が、前記遠隔操作装置に対して、前記起動状態情報「存在」を受信した際に、前記要約コンテンツの生成を終了する第４のステップと、
前記要約コンテンツ生成装置が、生成した前記要約コンテンツを、前記遠隔操作装置へ送信する第５のステップと
を有することを特徴とする方法。
【発明の詳細な説明】
【技術分野】
【０００１】
本発明は、デジタル放送コンテンツを操作対象装置に表示すると共に、その操作対象装置をリモコン(remote controller)装置のような遠隔操作装置から操作する技術に関する。
【背景技術】
【０００２】
地上デジタル放送サービスによれば、テレビ装置のような操作対象装置は、デジタル放送コンテンツを受信し、受信した放送コンテンツの映像データをディスプレイに表示する。受信した放送コンテンツは、ハードディスク装置等の記憶デバイスを搭載したテレビ装置又はレコーダ装置に記憶されてもよい。記憶デバイスの大容量化によって、視聴者は、放送コンテンツを長時間に渡って録画し、その放送コンテンツをいつでも再生することができる。操作対象装置は、テレビ装置に限られず、例えばパーソナルコンピュータであってもよい。
【０００３】
デジタル放送コンテンツには、映像データ及び音声データに加えて、字幕情報（クローズドキャプション）も含まれる。字幕情報は、その映像に関する会話やセリフのような文字列である。例えばテレビ装置は、受信した放送データ内の映像データ及び音声データを再生すると共に、その放送データ内の字幕情報データも、再生表示中の映像データと並列に表示する。
【０００４】
操作対象装置としてのテレビ装置は、リモコン装置によって、離れた位置から操作される。リモコン装置は、一般的に無線タイプであって、特に赤外線方式又は電波方式が用いられる（その他、超音波方式や可視光方式もある）。例えば、テレビ装置を操作するリモコン装置は、一般に赤外線方式が用いられる。リモコン装置は赤外線発光部を有し、テレビ装置は赤外線受光部を有する。
【０００５】
赤外線は、約７５０〜１,０００ｎｍの間の波長を有する。自然から放射された赤外線と、リモコン装置から発光された赤外線とを区別するために、リモコン装置は、キャリア周波数で変調した赤外線を送信する。キャリア周波数は、一般に、３８〜４０ｋＨｚ程度である。
【０００６】
図１は、従来技術におけるシステム構成図である。
【０００７】
図１によれば、リモコン装置５が、赤外線操作信号を送信し、操作対象装置４を操作している。操作対象装置としてテレビ装置が表されている。リモコン装置Ａ及びリモコン装置Ｂは、テレビ装置４の操作可能範囲内にいる。これは、リモコン装置Ａを所持するユーザと、リモコン装置Ｂを所持するユーザとが、テレビ装置４の視聴可能範囲に存在することを意味する。
【０００８】
ここで、リモコン装置Ｂを所持するユーザＢが、テレビ装置４の視聴可能範囲から離れ、一定時間経過後に、テレビ装置４の視聴可能範囲内に再び戻ってきたとする。ユーザＢは、その不在時間におけるテレビ装置４の放送内容を見逃し、その放送内容を知らないまま、テレビ装置４を再び視聴することとなる。
【０００９】
このような場合、ユーザＢは、不在時間の部分の放送コンテンツを再生することにより、その放送内容を理解することができる。録画した放送コンテンツを再生するとき、視聴者は、放送コンテンツの最初から最後まで再生する場合もあれば、一部分のみを再生する場合もある。特に、視聴者は、時間の制約によって、その放送コンテンツの概要だけを短時間で視聴したいと所望する場合も多い。この場合、視聴者は、早送りで再生しながら、見たいシーンの部分だけを通常再生によって視聴する。
【００１０】
視聴者に対して、その放送コンテンツの概要を短時間で理解させるために、要約コンテンツを生成する技術がある。要約コンテンツとしては、例えば、原コンテンツから、部分的に抽出した映像データを連結したものや、部分的に抽出した静止画像からアニメーションを生成したものがある。
【００１１】
また、例えば、デジタル放送コンテンツに含まれる字幕文字列の表示と共に、映像データから切り出した静止画像の表示を切り替えて表示する技術もある（例えば特許文献１参照）。この技術によれば、視聴者は、短時間で放送コンテンツの全編を視聴することができる。
【００１２】
また、放送コンテンツの見逃した部分について、ナレーションやテロップから要約文を生成する技術もある（例えば特許文献２参照）。この技術によれば、この要約文を、放送コンテンツの視聴中に表示することによって、視聴者は、見逃した部分の放送内容を理解することができる。
【先行技術文献】
【特許文献】
【００１３】
【特許文献１】特開２００９−０７６９７０号公報
【特許文献２】特開２００８−２５２３２２号公報
【発明の概要】
【発明が解決しようとする課題】
【００１４】
しかしながら、複数の視聴者が１つの放送コンテンツを視聴している場合、不在にしていた視聴者は、戻ってきた時点で、不在時間の放送内容を直ぐに知ることはできない。
【００１５】
特許文献１に記載された技術によれば、要約コンテンツは、放送コンテンツ全編について生成されている。そのため、視聴者は、その要約コンテンツの中から、見逃した部分のみを検索しなければならない。また、視聴者は、その見逃した部分のみの要約コンテンツしか必要としない。
【００１６】
また、特許文献２に記載された技術によれば、視聴者は、放送コンテンツの見逃した部分における要約文しか閲覧することができない。視聴者にとって、映像データを含まない要約文のみでは、その放送内容を十分に理解できない場合も多い。
【００１７】
そこで、本発明によれば、複数の視聴者がテレビ装置の視聴可能範囲に存在している場合に、視聴者毎にその不在時間の要約コンテンツを自動的に生成し、その要約コンテンツを当該視聴者のみに閲覧させることができるシステム及び方法を提供することを目的とする。
【課題を解決するための手段】
【００１８】
本発明によれば、操作信号を第１の無線リンクを介して送信する遠隔操作装置と、操作信号を第１の無線リンクを介して受信し且つその内容に応じて動作する操作対象装置とを有し、操作対象装置によって再生されたコンテンツにおける要約コンテンツを生成するシステムであって、
遠隔操作装置は、第２の無線リンクを確立する第２の無線通信手段を有し、
システムは、起動状態検出装置と、要約コンテンツ生成装置とを更に有し、
起動状態検出装置は、
遠隔操作装置における第２の無線リンクの確立状態によって、操作対象装置の視聴可能範囲に存在する１つ以上の遠隔操作装置を検出する起動状態検出手段と、
遠隔操作装置毎に、操作対象装置の視聴可能範囲における「存在」／「不在」を示す起動状態情報を、要約コンテンツ生成装置へ送信する起動状態送信手段と
を有し、
要約コンテンツ生成装置は、
操作対象装置によって再生されているコンテンツの要約コンテンツを生成する要約コンテンツ生成手段と、
遠隔操作装置に対して、起動状態情報「不在」を受信した際に、要約コンテンツ生成手段に対して要約コンテンツの生成開始を指示し、その後、起動状態情報「存在」を受信した際に、要約コンテンツ生成手段に対して要約コンテンツの生成終了を指示する生成制御手段と、
要約コンテンツ生成手段によって生成された要約コンテンツを、遠隔操作装置へ送信する要約コンテンツ送信手段とを有することを特徴とする。
【００１９】
本発明のシステムにおける他の実施形態によれば、
操作対象装置によって再生されるデジタル放送コンテンツは、映像及び字幕文字列を含んでおり、
要約コンテンツ生成装置の要約コンテンツ生成手段は、
デジタル放送コンテンツから、字幕文字列の単位を抽出する字幕文字列抽出手段と、
デジタル放送コンテンツから、字幕文字列の単位毎に、映像を抽出する映像抽出手段と、
字幕文字列の単位に基づく映像の中から、１つの静止画像を抽出する画像抽出手段と、
静止画像及び字幕文字列を連結した要約コンテンツを生成するコンテンツ連結手段と
を有することも好ましい。
【００２０】
本発明のシステムにおける他の実施形態によれば、第１の無線リンクは、指向性のある赤外線通信リンクであり、第２の無線リンクは、指向性のない近距離無線リンクであることも好ましい。
【００２１】
本発明のシステムにおける他の実施形態によれば、近距離無線リンクは、Bluetoothであり、遠隔操作装置は、呼び出し(Page)シーケンスを定期的に実行することによって、当該識別子を送信することも好ましい。
【００２２】
本発明のシステムにおける他の実施形態によれば、近距離無線リンクは、無線ＬＡＮ(Local Area Network)であり、遠隔操作装置は、当該識別子を含むデータパケットを定期的に送信することも好ましい。
【００２３】
本発明のシステムにおける他の実施形態によれば、操作対象装置は、テレビ装置であり、遠隔操作装置は、携帯電話機であり、当該携帯電話機に搭載された赤外線発光部及び近距離無線通信部を用いることも好ましい。
【００２４】
本発明のシステムにおける他の実施形態によれば、操作対象装置は、起動状態検出装置及び／又は要約コンテンツ生成装置を一体的に含むことも好ましい。
【００２５】
本発明によれば、操作信号を第１の無線リンクを介して送信する遠隔操作装置と、操作信号を第１の無線リンクを介して受信し且つその内容に応じて動作する操作対象装置とを有するシステムについて、操作対象装置によって再生されたコンテンツにおける要約コンテンツを生成する方法であって、
遠隔操作装置は、第２の無線リンクの通信機能を有し、
システムは、起動状態検出装置と、要約コンテンツ生成装置とを更に有し、
起動状態検出装置が、遠隔操作装置における第２の無線リンクの確立状態によって、操作対象装置の視聴可能範囲に存在する１つ以上の遠隔操作装置を検出する第１のステップと、
遠隔操作装置毎に、操作対象装置の視聴可能範囲における「存在」／「不在」を示す起動状態情報を、要約コンテンツ生成装置へ送信する第２のステップと、
要約コンテンツ生成装置が、遠隔操作装置に対して、起動状態情報「不在」を受信した際に、操作対象装置によって再生されているコンテンツの要約コンテンツの生成を開始する第３のステップと、
要約コンテンツ生成装置が、遠隔操作装置に対して、起動状態情報「存在」を受信した際に、要約コンテンツの生成を終了する第４のステップと、
要約コンテンツ生成装置が、生成した要約コンテンツを、遠隔操作装置へ送信する第５のステップとを有することを特徴とする。
【発明の効果】
【００２６】
本発明のシステム及び方法によれば、複数の視聴者がテレビ装置の視聴可能範囲に存在している場合に、視聴者毎にその不在時間の要約コンテンツを自動的に生成し、その要約コンテンツを当該視聴者のみに閲覧させることができる。
【図面の簡単な説明】
【００２７】
【図１】従来技術におけるシステム構成図である。
【図２】本発明における表示イメージである。
【図３】本発明における第1のシステム構成図である。
【図４】本発明における起動状態検出装置及び要約コンテンツ生成装置の機能構成図である。
【図５】静止画像と字幕文字列との対応関係を表す説明図である。
【図６】本発明における携帯電話機の機能構成図である。
【図７】本発明における第２のシステム構成図である。
【図８】遠隔操作装置自らの存在を起動状態検出へ通知するシーケンス図である。
【発明を実施するための形態】
【００２８】
以下、本発明の実施の形態について、図面を用いて詳細に説明する。
【００２９】
図２は、本発明における表示イメージである。
【００３０】
図２によれば、遠隔操作装置３として携帯電話機が表されている。携帯電話機は、視聴者に対するディスプレイを備えている。尚、以下では、遠隔操作装置は、代表的な携帯電話機として説明するが、勿論、ＰＤＡ(Personal Digital Assistant)又は携帯端末であってもよい。
【００３１】
図２によれば、携帯電話機Ａと携帯電話機Ｂが、テレビ装置４の視聴可能範囲に存在する。ここで、携帯電話機Ｂのみが、テレビ装置４の操作可能範囲から離れ、一定時間経過後に、テレビ装置４の操作可能範囲に再び戻ってきたとする。
【００３２】
携帯電話機Ｂは、インターネットを介して、テレビ装置４から離れていた間の放送内容の要約コンテンツを受信する。携帯電話機Ｂは、視聴者に対するディスプレイに要約コンテンツを表示する。
【００３３】
これにより、携帯電話機Ｂを操作する視聴者は、テレビ装置４から離れていた間の放送内容を理解でき、再び放送内容を視聴することができる。また、携帯電話機Ａを操作する視聴者も、携帯電話機Ｂを操作する視聴者に視聴を中断されることなく、放送内容を視聴することができる。
【００３４】
本発明における要約コンテンツとは、原放送コンテンツから、字幕文字列の単位毎に１枚の静止画像を抽出したコンテンツである。本発明によれば、静止画像をディスプレイに表示する際に、その部分に相当する字幕文字列も同時に表示される。
【００３５】
携帯電話機３のディスプレイには、ブラウザ画面が表示される。そのブラウザ画面の中に、静止画像及び字幕文字列が上下方向に並べられる。静止画像及び字幕文字列は、一定時間ごとに切り替えて表示されてもよい。また、ブラウザ画面の中に、静止画像及び字幕文字列が左右方向に並べられていてもよい。
【００３６】
図３は、本発明における第１のシステム構成図である。
【００３７】
図３のシステムは、起動状態検出装置１（セットトップボックス）と、要約コンテンツ生成装置２と、遠隔操作装置３と、操作対象装置４とを有する。図３によれば、遠隔操作装置３として携帯電話機が表され、操作対象装置４としてテレビ装置が表されている。
【００３８】
図３のシステムによれば、図１と同様に、携帯電話機３は、赤外線通信リンク（第１の無線リンク）を介して赤外線操作信号を送信し、テレビ装置４を操作している。赤外線通信リンクは指向性があるので、その携帯電話機の赤外線発光部を、テレビ装置へ向けることによって、赤外線操作信号を送信することができる。
【００３９】
携帯電話機は、一般に、赤外線通信規格ＩｒＤＡ(Infrared Data Association)準拠の赤外線発光部を有する。ＩｒＤＡの仕様は、一般のリモコン装置で使われている赤外線通信の仕様とは異なる。携帯電話機は、リモコン用アプリケーションを起動することによって、ＩｒＤＡ準拠の赤外線発光部に対してリモコン用の操作信号をエミュレートすることによって、リモコン装置として機能する。
【００４０】
携帯電話機Ａ及び携帯電話機Ｂは、テレビ装置４の操作可能範囲に存在しており、テレビ装置４へ、例えばチャネル切り替え（又は電源オン／オフ）の赤外線操作信号を送信している。このとき、テレビ装置４から見ると、携帯電話機Ａ及び携帯電話機Ｂがその視聴可能範囲に存在する。また、テレビ装置４の近くに配置されている起動状態検出装置１から見ても、携帯電話機Ａ及び携帯電話機Ｂがその周辺に存在する。
【００４１】
尚、携帯電話機はそれぞれ、装置識別子及び／又はユーザ識別子（以下「識別子」という）を有する。装置識別子は、携帯電話機固有のデバイス識別子であり、ユーザ識別子は、携帯電話機を操作するユーザ固有の識別子をいう。
【００４２】
起動状態検出装置１及び携帯電話機３は、近距離無線通信部を搭載する。近距離無線リンクは、Bluetoothであってもよいし、例えばＷｉ−Ｆｉ(Wireless Fidelity)のような無線ＬＡＮであってもよい。指向性がない近距離無線リンクを用いることにより、その携帯電話機の向きに影響を受けることなく、起動状態検出装置１と通信することができる。
【００４３】
携帯電話機Ａ及び携帯電話機Ｂは、近距離無線リンク（第２の無線リンク）を介して起動状態検出装置１へ、識別子を送信する。これによって、起動状態検出装置１は、携帯電話機Ａ及び携帯電話機Ｂが、当該起動状態検出装置１の周辺に存在していることを認識する。また、起動状態検出装置１がテレビ装置４の近くに配置されていることにより、携帯電話機Ａ及び携帯電話機Ｂが、当該テレビ装置４の視聴可能範囲に存在していることを認識する。
【００４４】
識別子は、各携帯電話機３から、近距離無線リンクを介して起動状態検出装置１へ定期的に送信される。定期的な識別子の送信は、携帯電話機３が当該操起動状態検出装置１の周辺範囲に存在していることを意味するアクティブ信号（又はアライブ信号）の役割をなす。これにより、起動状態検出装置１は、各時点で、自らの周辺に存在する携帯電話機３を認識することができる。一方で、起動状態検出装置１は、定期的に受信していた識別子を受信しなくなった場合、その識別子に対応する携帯電話機３が、自らの周辺に存在しなくなったことを認識する。
【００４５】
起動状態検出装置１は、携帯電話機毎に、その視聴可能範囲における「存在」／「不在」を示す起動状態情報を、要約コンテンツ生成装置２へ送信する。
【００４６】
要約コンテンツ生成装置２は、起動状態情報を受信する。要約コンテンツ生成装置２は、起動状態情報から携帯電話機３がテレビ装置４の視聴可能範囲における不在時間を知る。要約コンテンツ生成装置２は、デジタル放送コンテンツから、携帯電話機３がテレビ装置４の視聴可能範囲における不在時間の要約コンテンツを生成する。
【００４７】
要約コンテンツ生成装置２は、要約コンテンツを携帯電話機Ｂへ送信する。ここで、要約コンテンツは、起動状態検出装置１を経由して近距離無線リンクを介して携帯電話機Ｂへ送信されてもよい。また、起動状態検出装置１がフェムトセルのアクセスポイントの機能を有する場合、要約コンテンツは、フェムトセルの電波を介して、携帯電話機Ｂへ送信されてもよい。更に、要約コンテンツは、起動状態検出装置１を経由してアクセスネットワーク及びインターネットを介して、携帯電話網から送信されてもよい。
【００４８】
起動状態検出装置１は、テレビ装置に接続され、そのテレビ装置の近くに配置されることが好ましい。起動状態検出装置１が近距離無線リンクを介して検出した携帯電話機は、テレビ装置の視聴可能範囲に存在すると認識することができる。また、起動状態検出装置１の機能は、操作対象装置（テレビ装置自体）４に内蔵されるものであってもよい。更に、要約コンテンツ生成装置２の機能も、操作対象装置４に内蔵されるものであってもよい。
【００４９】
図４は、本発明における起動状態検出装置及び要約コンテンツ生成装置の機能構成図である。
【００５０】
図４の起動状態検出装置１は、近距離無線通信部１０と、識別子受信部１１と、起動状態検出部１２と、起動状態送信部１３と、通信インタフェース部１４とを有する。
【００５１】
近距離無線通信部１０は、近距離無線リンクを介して、遠隔操作装置３の識別子を受信する。近距離無線通信部１０は、受信した識別子を、識別子受信部１１へ出力する。
【００５２】
識別子受信部１１は、識別子を起動状態検出部１２へ出力する。識別子受信部１１は、遠隔操作装置３から発動される呼び出し(Page)シーケンスによって、識別子を受信するものであってもよい。また、呼び出しシーケンスによって無線リンクを確立した後、識別子を含むデータパケットを受信するものであってもよい。
【００５３】
起動状態検出部１２は、Bluetoothの無線リンクの確立状態によって、自らの周辺範囲に、受信した識別子に対応する携帯電話機が存在することを認識する。ここで、起動状態検出部１２は、自らの周辺範囲に存在する携帯電話機から定期的にその識別子を受信する。一方で、起動状態検出部１２は、その識別子を一定時間以上受信しなかった場合、その識別子に対応する携帯電話機が、自らの周辺範囲に存在しなくなったと認識する。起動状態検出部１２は、自らの周辺範囲に存在する携帯電話機の識別子を、起動状態送信部１３へ出力する。
【００５４】
起動状態送信部１３は、受信した識別子に基づき、操作対象装置４の視聴可能範囲における遠隔操作装置３の「存在」／「不在」を示す起動状態情報を生成する。起動状態送信部１３は、通信インタフェース部１４を介して、起動状態情報を要約コンテンツ生成装置２に送信する。
【００５５】
また、図４によれば、要約コンテンツ生成装置２は、放送受信部２００と、復調部２０１と、映像デコード部２０２と、字幕情報デコード部２０３と、音声デコード部２０４と、録画管理部２０５と、コンテンツ蓄積部２０６と、通信インタフェース部２０７と、生成制御部２０８と、要約コンテンツ生成部２０９と、要約コンテンツ送信部２１０とを有する。
【００５６】
放送受信部２００は、デジタル放送信号を再生表示中のテレビ装置から受信し、その放送信号を復調部２０１へ出力する。復調部２０１は、その放送信号を復調する。そして、映像データは映像デコード部２０２へ出力され、字幕情報データは字幕情報デコード部２０３へ出力され、音声データは音声デコード部２０４へ出力される。映像デコード部２０２は映像データを復号し、字幕情報デコード部２０３は字幕情報データを復号し、音声デコード部２０４は音声データを復号する。復号された映像データ、字幕情報データ及び音声データは、録画管理部２０５へ出力される。録画管理部２０５は、映像データ、字幕情報データ及び音声データを１つのコンテンツとして、コンテンツ蓄積部２０６へ蓄積する。コンテンツ蓄積部２０６は、ハードディスク装置のような大容量の記憶デバイスである。
【００５７】
尚、前述した機能構成部２００〜２０５は、本発明における必須構成要素ではない。本発明によれば、コンテンツ蓄積部２０６が、要約コンテンツを生成するために、映像データ及び字幕情報データを含む放送コンテンツを一時的に蓄積していることを要する。
【００５８】
生成制御部２０８は、通信インタフェース部２０７を介して、起動状態検出装置１から遠隔操作装置３の起動状態情報を受信する。生成制御部２０８は、当該遠隔操作装置３の起動状態情報「不在」を受信した際に、コンテンツ蓄積部２０６へ、要約コンテンツの生成開始を指示する。その後、起動状態情報「存在」を受信した際に、要約コンテンツの生成終了を指示する。
【００５９】
コンテンツ蓄積部２０６は、生成制御部２０８の指示に応じて、放送コンテンツを要約コンテンツ生成部２０９へ出力する。
【００６０】
要約コンテンツ生成部２０９は、操作対象装置４によって再生されているコンテンツの要約コンテンツを生成する。生成された要約コンテンツは、要約コンテンツ送信部２１０へ出力される。
【００６１】
要約コンテンツ送信部２１０は、通信インタフェース部２０７を介して、要約コンテンツを遠隔操作装置３へ送信する。
【００６２】
図４によれば、要約コンテンツ生成部２０９は、字幕文字列抽出部２０９１と、映像抽出部２０９２と、画像抽出部２０９３と、コンテンツ連結部２０９４とを有する。
【００６３】
尚、図５は、静止画像と字幕文字列との対応関係を表す説明図である。以下では、図５は、図４と共に説明される。
【００６４】
字幕文字列抽出部２０９１は、コンテンツ蓄積部２０６から１つの放送コンテンツを取得し、字幕文字列の単位を抽出する。図５（ｂ）は、字幕文字列の単位を表す。字幕文字列は、２秒程度の短い間隔の映像データで検出される場合もあれば、１０秒以上の長い間隔の映像データで検出される場合もある。字幕文字列抽出部２０９１は、字幕文字列の単位を、映像抽出部２０９２及びコンテンツ連結部２０９４へ出力する。
【００６５】
映像抽出部２０９２は、コンテンツ蓄積部２０６から１つのデジタル放送コンテンツを取得すると共に、字幕文字列抽出部２０９１から字幕文字列の検出タイミングを入力する。図５（ａ）は映像データのフレームを表す。映像抽出部２０９２は、図５（ａ）及び図５（ｂ）の関係を検出する。映像抽出部２０９２は、字幕文字列の単位に基づく映像を画像抽出部２０９３に出力する。
【００６６】
図５によれば、フレームＦ１を再生する際に字幕文字列Ｃ１が検出され、その後、フレームＦ７を再生する際に字幕文字列Ｃ２が検出されている。この場合、１つの字幕文字列Ｃ１に、複数のフレームＦ１〜Ｆ６が対応付けられる。視聴者に対して、ディスプレイは、複数のフレームＦ１〜Ｆ６の再生表示中に、字幕文字列Ｃ１を重畳して表示する。図５によれば、次も同様に、ディスプレイは、複数のフレームＦ７〜Ｆ１３の再生表示中に、字幕文字列Ｃ２を重畳して表示する。
【００６７】
画像抽出部２０９３は、字幕文字列の単位に基づく映像を入力する。そして、字幕文字列の単位に基づく映像データのフレームの中から、１つの画像を抽出する。一般的に、字幕文字列は、映像の進行よりも少し早いタイミングで表示される。但し、生放送番組等では、字幕文字列の方が映像よりも遅く表示される場合もある。そのために、映像の進行と字幕文字列の進行とが必ずしも一致していない。字幕文字列に対して、できる限り適切な静止画像を抽出するために、図５（ｃ）によれば、真ん中の画像が選択されている。勿論、例えば１番目の画像を選択するものであってもよいし、ランダムに選択するものであってもよい。画像抽出部２０９３は、静止画像をコンテンツ連結部２０９４に出力する。
【００６８】
コンテンツ連結部２０９４は、静止画像及び字幕文字列を入力する。コンテンツ連結部２０９４は、静止画像及び字幕文字列を連結した要約コンテンツを生成する。生成された要約コンテンツは、要約コンテンツ送信部２１０へ出力され、携帯電話機４へ送信される。
【００６９】
図６は、本発明における携帯電話機の機能構成図である。
【００７０】
図６の携帯電話機３は、ユーザ操作部３０と、赤外線発光部３１と、操作信号送信部３２と、近距離無線通信部３３と、起動状態送信部３４と、識別子記憶部３５と、通信インタフェース部３６と、要約コンテンツ再生部３７と、ディスプレイ部３８とを有する。
【００７１】
ユーザ操作部３０は、操作対象装置４に対する操作内容をユーザが入力すべきキーボードである。ユーザによって操作された操作内容は、操作信号送信部３２へ出力される。
【００７２】
操作信号送信部３２は、ユーザ操作部３０から操作内容を入力し、その操作内容を、操作信号として赤外線発光部３１へ出力する。具体的には、携帯電話機で、リモコン用アプリケーションを起動することによって、ＩｒＤＡ準拠の赤外線発光部３１に対してリモコン用の操作信号をエミュレートする。
【００７３】
赤外線発光部３１は、操作信号送信部３２から出力された操作信号を、指向性のある赤外線によって、操作対象装置４へ送信する。赤外線発光部３１は、例えばＩｒＤＡ準拠のものである。
【００７４】
近距離無線通信部３３は、近距離無線リンクを介して、起動状態検出装置１と通信する。近距離無線通信部３３は、Bluetoothや無線ＬＡＮに対応していることが好ましい。このような近距離無線リンクは、指向性がないので、その携帯電話機の向きに影響を受けることなく、起動状態検出装置１へ識別子を送信することができる。
【００７５】
識別子記憶部３５は、装置識別子及び／又はユーザ識別子を記憶し、この識別子を起動状態送信部３４へ出力する。装置識別子は、例えばBluetooth無線モジュールのデバイスＩＤや、携帯電話機に搭載されるＳＩＭカードの識別番号であってもよい。また、ユーザ識別子は、携帯電話機の電話番号や、ホームネットワーク内のみで利用可能な識別子であってもよい。
【００７６】
起動状態送信部３４は、識別子記憶部３５から出力された識別子を、近距離無線通信部３３を介して、起動状態検出装置１へ送信する。
【００７７】
ここで、起動状態送信部３４は、近距離無線通信部３３がBluetoothである場合、呼び出し(Page)シーケンスを定期的に実行するものであってもよい。呼び出しシーケンスの中で、デバイスＩＤ（装置識別子）を送信することができる。また、呼び出し(Page)シーケンスによって無線リンクを確立した後、識別子を含むデータパケットを送信するものであってもよい。更に、起動状態送信部３４は、近距離無線通信部３３が無線ＬＡＮである場合、識別子を含むデータパケットを定期的に送信するものであってもよい。
【００７８】
尚、起動状態送信部３４は、近距離無線リンクに競合が生じ、送信エラーが発生した場合、一定時間待機後に、その識別子を起動状態検出装置１へ再送信するべく動作する。
【００７９】
通信インタフェース部３６は、携帯電話網の基地局と通信する。ここで、起動状態検出装置１は、フェムトセル用のアクセスポイントであってもよい。この場合、通信インタフェース部３６は、携帯電話用の無線リンクで起動状態検出装置１と直接的に接続されるものであってもよい。通信インタフェース部３６は、要約コンテンツを受信し、その要約コンテンツを要約コンテンツ再生部３７へ出力する。
【００８０】
要約コンテンツ再生部３７は、要約コンテンツを、ディスプレイ部３８へ再生する。要約コンテンツは、静止画像及び字幕文字列からなるパラパラ漫画のように見える。
【００８１】
図７は、本発明における第２のシステム構成図である。
【００８２】
例えば、最初に、携帯電話機Ａのみが、テレビ装置ａの操作可能範囲でリモコン用アプリケーションを起動しているとする。次に、その場所で、携帯電話機Ｂが、テレビ装置ａの操作可能範囲でリモコン用アプリケーションを起動したとする。このとき、携帯電話機Ｂは、近距離無線リンクの問い合わせ要求を、その周辺へ送信する。携帯電話機Ａが、その問い合わせ要求に応答することによって、携帯電話機Ａと携帯電話機Ｂとの間で近距離無線リンクを確立することができる。勿論、逆に、携帯電話機Ａが、問い合わせ要求を送信し、携帯電話機Ｂがその問い合わせ要求に応答することによって、近距離無線リンクを確立するものであってもよい。これによって、携帯電話機Ａは、その周辺に携帯電話機Ｂが存在することを認識する。
【００８３】
尚、携帯電話機Ａがテレビ装置ａを操作可能な範囲は、携帯電話機Ａを所持するユーザがテレビ装置ａを視聴可能な範囲と一致するものとする。また、携帯電話機Ａと携帯電話機Ｂとが近距離無線リンクを介して通信可能である場合、携帯電話機Ｂも、テレビ装置ａの操作可能範囲に存在するものとする。即ち、携帯電話機Ｂを所持するユーザも、テレビ装置ａを視聴可能であるとする。
【００８４】
次に、携帯電話機Ａ及び携帯電話機Ｂは、近距離無線リンクを介して相互に識別子を交換する。先にリモコン用アプリケーションを起動し且つテレビ装置ａを操作している携帯電話機Ａは、携帯電話機Ｂから、装置識別子ＩＤ−Ｂを受信する。
【００８５】
そして、携帯電話機Ａは、装置識別子ＩＤ−Ｂに、当該携帯電話機Ａの装置識別子ＩＤ−Ａを対応付けて、起動状態検出装置１へ送信する。起動状態検出装置１は、携帯電話機Ａの周辺に、携帯電話機Ｂが存在していることを認識することができる。
【００８６】
ここで、携帯電話機Ａは、テレビ装置（操作対象装置）の装置識別子ＩＤ−ａを更に対応付けることも好ましい。これによって、「装置識別子ＩＤ−ａのテレビ装置を操作している、装置識別子ＩＤ−Ａの携帯電話機（遠隔操作装置）の周辺に、装置識別子ＩＤ−Ｂの携帯電話機が存在する」ことが認識される。
【００８７】
図８は、遠隔操作装置自らの存在を起動状態検出装置へ通知するシーケンス図である。
【００８８】
図８によれば、起動状態検出装置（セットトップボックス）１と、携帯電話機（遠隔操作装置）３とは、Bluetoothに基づくプロトコル構成を有する。その中で、ＬＭＰ(Link Management Protocol)は、無線リンクにおける接続確立、接続制御及びセキュリティを実現する。ＬＭＰの接続確立では、Bluetoothにおける問い合わせ(Inquiry)状態及び呼び出し(Page)状態を実行する。
【００８９】
（Ｓ８１）携帯電話機３は、リモコン用アプリケーションを起動した際に、問い合わせ要求(Inquiry)メッセージを、Bluetoothの無線リンクへブロードキャストする。Bluetoothの電波を受信可能な範囲に存在する起動状態検出装置１は、この問い合わせ要求(Inquiry)メッセージを受信する。これに対し、起動状態検出装置１は、ＦＨＳ応答メッセージを返信する。ＦＨＳパケットには、Bluetoothのクラス、装置ＩＤ（識別子）、クロック等の情報が含まれる。これによって、携帯電話機３は、起動状態検出装置１の存在を認識する。
【００９０】
（Ｓ８２）その後、携帯電話機３は、識別子通知シーケンスを定期的に実行する。識別子通知シーケンスは、例えば呼び出し(Page)状態のシーケンスを実行することができ、これによって、携帯電話機３の識別子（例えば装置ＩＤ）を、起動状態検出装置１へ送信することができる。
【００９１】
（Ｓ８２１）携帯電話機３は、呼び出し(Page)要求メッセージを起動状態検出装置１へ送信する。これに対し、起動状態検出装置１は、受信応答メッセージを、携帯電話機３へ返信する。
（Ｓ８２２）次に、携帯電話機３は、ＦＨＳ要求メッセージを起動状態検出装置１へ送信する。ＦＨＳパケットには、Bluetoothのクラス、装置ＩＤ（識別子）、クロック等の情報が含まれる。これによって、起動状態検出装置１は、携帯電話機３の存在を認識することができる。そして、起動状態検出装置１は、受信応答メッセージを、携帯電話機３へ返信する。
（Ｓ８２３）直ぐに、携帯電話機３は、接続解除要求を起動状態検出装置１へ送信する。携帯電話機３は、Bluetoothの無線リンクを用いて、当該携帯電話機３の識別子を起動状態検出装置１へ通知できればよい。即ち、Bluetoothの無線リンクを維持する必要がないからである。接続解除要求を受信した起動状態検出装置１は、受信応答メッセージを、携帯電話機３へ返信する。
【００９２】
尚、Ｓ８２１及びＳ８２２によって無線リンクを確立した後、識別子を含むデータパケットを送信するものであってもよい。携帯電話機３は、そのデータパケットを起動状態検出装置１へ送信した後、Ｓ８２３によって接続を解除する。
【００９３】
ここで、本発明によれば、Ｓ８２３によって直ぐに、携帯電話機３が接続解除要求を起動状態検出装置１へ送信する。この理由として、Bluetoothは、通常、１対１通信に基づくものであって、処理負荷が大きくなる１対多通信の場合、動作が不安定となる傾向がある。そのために、本発明によれば、Bluetoothの無線リンクについて接続／解除を繰り返すことによって、１つの起動状態検出装置の近距離無線通信部と、その周辺に位置する複数の携帯電話機の近距離無線通信部とを接続できるようにしている。
【００９４】
（Ｓ８３）Ｓ８２で実行された識別子通知シーケンスは、定期的に実行される。識別子通知シーケンスが実行される毎に、起動状態検出装置１は、携帯電話機３の存在を認識する。ここで、携帯電話機３が起動状態検出装置１の周辺から離れた場合、携帯電話機３からの識別子通知シーケンスが実行されなくなる。このとき、起動状態検出装置１は、その携帯電話機３が、その起動状態検出装置１の周辺に存在しないと認識する。
【００９５】
携帯電話機３から起動状態検出装置１へ送信されるＦＨＳ要求メッセージのデータ構造は、Bluetoothの一般的なデータ構造である。Bluetoothの一般的なデータ構造は、アクセスコード部と、ヘッダ部と、ペイロード部とからなる。アクセスコード部は、プリアンブル等を含む。ヘッダ部は、Bluetoothアドレス、タイプコード（制御／音声／データ）、フロー制御、ＡＲＱＮ、シーケンス番号、チェックサムを含む。ペイロード部は、ここでは、ＦＨＳの内容を含む。ＦＨＳには、主に、Bluetoothのクラス、デバイス識別子（ＩＤ）、クロック等が含まれる。このデバイス識別子によって、起動状態検出装置１は、携帯電話機３を認識することができる。
【００９６】
以上、詳細に説明したように、本発明のシステム及び方法によれば、複数の視聴者がテレビ装置の視聴可能範囲に存在している場合に、視聴者毎にその不在時間の要約コンテンツを自動的に生成し、その要約コンテンツを当該視聴者のみに閲覧させることができる。これによって、視聴者は、放送コンテンツの見逃した部分のみの要約コンテンツを、自らの携帯電話機で視聴することができる。これにより、不在にして戻ってきた視聴者や途中参加した視聴者は、短い視聴時間で、放送コンテンツにおける現在の再生表示に追いつくことができる。尚、要約したコンテンツは、見逃した部分についてのみ生成されるため、放送コンテンツ全体に対する要約コンテンツに比べ、データサイズが小さく、携帯電話機での視聴に適する。
【００９７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００９８】
１  起動状態検出装置
１０  近距離無線通信部
１１  識別子受信部
１２  起動状態検出部
１３  起動状態送信部
１４  通信インタフェース部
２  要約コンテンツ生成装置
２００  放送受信部
２０１  復調部
２０２  映像デコード部
２０３  字幕情報デコード部
２０４  音声デコード部
２０５  録画管理部
２０６  コンテンツ蓄積部
２０７  通信インタフェース部
２０８  生成制御部
２０９  要約コンテンツ生成部
２０９１  字幕文字列抽出部
２０９２  映像抽出部
２０９３  画像抽出部
２０９４  コンテンツ連結部
２１０  要約コンテンツ送信部
３  遠隔操作装置、携帯電話機
３０  ユーザ操作部
３１  赤外線発光部
３２  操作信号送信部
３３  近距離無線通信部
３４  起動状態送信部
３５  識別子記憶部
３６  通信インタフェース部
３７  要約コンテンツ再生部
３８  ディスプレイ部
４  操作対象装置、テレビ装置
５  リモコン装置
【図１】
2011061733.tif 000003
【図２】
2011061733.tif 000004
【図３】
2011061733.tif 000005
【図４】
2011061733.tif 000006
【図５】
2011061733.tif 000007
【図６】
2011061733.tif 000008
【図７】
2011061733.tif 000009
【図８】
2011061733.tif 000010